(57)【要約】【課題】コネクタやコネクタ装置を大型化することなく、フィンガープロテクト機能を有する電源コネクタに係止機能を付加することを目的とする。【解決手段】相手コネクタの相手ハウジングが挿入される挿入空間を内部に有するハウジングと、相手ハウジングが挿入口を通じて挿入空間に挿入されたときに相手ハウジングに設けた相手電源端子と接触し得る平板状の接触部を有する電源端子と、挿入空間に対する相手ハウジングの挿入方向において電源端子の露出部よりも挿入口に近い側のいずれかの位置に配置され、且つ、規格化された試験指が挿入口を通じて挿入空間に挿入されようとしたときに少なくとも試験指が電源端子の露出部に触れないように突出した規制突部と、挿入空間に設けられ、相手ハウジングが挿入口を通じて挿入空間に挿入されたときに相手ハウジングに設けた係止部が係止され得る対応係止部とを備える。【選択図】図１
2019110086.tif 000002
【特許請求の範囲】
【請求項１】
相手コネクタの相手ハウジングの少なくとも一部が挿入される挿入空間を内部に有するハウジングと、
前記挿入空間に露出させた状態で設けた露出部の少なくとも一部であって前記相手ハウジングの少なくとも一部が前記挿入空間と連通した挿入口を通じて前記挿入空間に挿入されたときに前記相手ハウジングに設けた相手電源端子と接触し得る接触部を有する電源端子と、
前記挿入空間に対する前記相手ハウジングの少なくとも一部の挿入方向において前記電源端子の露出部よりも前記挿入口に近い側のいずれかの位置に配置され、且つ、規格化された試験指が前記挿入口を通じて前記挿入空間に挿入されようとしたときに少なくとも前記試験指が前記電源端子の露出部に触れないように突出した規制突部と、
前記挿入空間に設けられ、前記相手ハウジングの少なくとも一部が前記挿入口を通じて前記挿入空間に挿入されたときに前記相手ハウジングに設けた係止部が係止され得る対応係止部と、
を備える、ことを特徴とする電源コネクタ。
【請求項２】
前記電源端子は相隣り合って複数設けられており、前記電源端子の各々が配置された挿入空間が隔壁によって互いに仕切られている、請求項１に記載の電源コネクタ。
【請求項３】
前記規制突部は、前記挿入方向と直交する断面において対向配置された一対の規制突部を含む、請求項１又は２に記載の電源コネクタ。
【請求項４】
前記挿入空間は、
前記相手ハウジングの少なくとも一部が前記挿入口を通じて前記挿入空間に挿入されたときに、前記少なくとも一部のうちの、前記係止部を設けた係止部分が主として挿入される、前記挿入空間における第一の区画部と、
前記相手ハウジングの少なくとも一部が前記挿入口を通じて前記挿入空間に挿入されたときに、前記少なくとも一部のうちの、前記係止部分以外の部分が主として挿入される、前記挿入空間における第二の区画部と、を含む、請求項３に記載の電源コネクタ。
【請求項５】
前記断面は、前記挿入方向と直交する断面において、第一の方向と、該第一の方向と直交する第二の方向とを有し、
前記一対の規制突部は、それぞれ、互いに接近するように前記挿入空間の内部に向かって少なくとも前記第一の方向に沿って突出しており、且つ、前記一対の規制突部は、前記第二の方向において重なりを有する、請求項４に記載の電源コネクタ。
【請求項６】
前記電源端子は、実質的に前記第二の方向に延在し、前記第二の方向において、少なくとも前記一対の規制突部のいずれか一方と重なりを有する、請求項５に記載の電源コネクタ。
【請求項７】
前記第一の区画部と前記第二の区画部は、前記第一の方向に沿って相隣り合って配置され、且つ、前記第二の方向において重なりを有する、請求項４乃至６のいずれかに記載の電源コネクタ。
【請求項８】
前記第一の区画部は、少なくとも前記第二の方向において、前記第二の区画部より小さく設定されている、請求項７に記載の電源コネクタ。
【請求項９】
前記接触部は平板状である、請求項１乃至７のいずれかに記載の電源コネクタ。
【請求項１０】
請求項１乃至９のいずれかに記載の前記電源コネクタ及び前記相手コネクタとから構成される電源コネクタ装置。
【発明の詳細な説明】
【技術分野】
【０００１】
本発明は、電源コネクタ及び電源コネクタ装置に関し、特に、通電部分である電源コネクタの電源端子への不用意な接触や感電を回避するためのフィンガープロテクト機能を有する電源コネクタ及び電源コネクタ装置に関する。
【背景技術】
【０００２】
特開２００２−５６９１９号公報（特許文献１）に、フィンガープロテクト機能を有する電源コネクタ装置が開示されている。この電源コネクタ装置は、雄側コネクタと、これと嵌合可能な雌側コネクタとの組から成る。
【０００３】
雄側コネクタは、インナーハウジング及びアウターハウジングから成る雄側コネクタハウジングと、インナーハウジングに設けた雄型端子金具から成る。一方、雌側コネクタは、雌側コネクタハウジングと、これに設けた雌型端子金具から成る。
【０００４】
雄側コネクタのアウターハウジングの内部には、雌側コネクタハウジングの端子収容筒部が収容される収容空間が設けられている。この収容空間には、試験指の過剰な侵入を防ぐ規制突部が収容空間の内部に向かって突出している。また、雄側コネクタのアウターハウジングの外部上面には、雌側コネクタのロックアームが係止されるロック突部が設けられている。この雌側コネクタのロックアームは、収容空間に収容される雌側コネクタハウジングの端子収容筒部の外側に設けられている。
【０００５】
雄側コネクタと雌側コネクタが嵌合されたとき、雄側コネクタのアウターハウジングの収容空間に、雌側コネクタハウジングの端子収容筒部が収容されるとともに、雄側コネクタのアウターハウジングの外部に設けたロック突部に、雌側コネクタの端子収容筒部の外側に設けたロックアームが係止されるようになっている。
【先行技術文献】
【特許文献】
【０００６】
【特許文献１】特開２００２−５６９１９号公報
【発明の概要】
【発明が解決しようとする課題】
【０００７】
特許文献１に開示されているような従来の電源コネクタ装置では、係止機能を付与するために、雄側コネクタのアウターハウジングの外部にロック突部を設ける構成となっている。このため、雄側コネクタは大型化し、これに対応して、雌側コネクタも大型化してしまう。
コネクタ装置の小型化が、今日、ますます要望されており、コネクタ構造の改良が求められる。本発明はこのような従来技術における問題点を解決するためになされたものであり、コネクタやコネクタ装置を大型化することなく、フィンガープロテクト機能を有する電源コネクタに係止機能を付加することを目的とする。
【課題を解決するための手段】
【０００８】
上記の課題を解決するため、本発明の一態様による電源コネクタは、相手コネクタの相手ハウジングの少なくとも一部が挿入される挿入空間を内部に有するハウジングと、前記挿入空間に露出させた状態で設けた露出部の少なくとも一部であって前記相手ハウジングの少なくとも一部が前記挿入空間と連通した挿入口を通じて前記挿入空間に挿入されたときに前記相手ハウジングに設けた相手電源端子と接触し得る接触部を有する電源端子と、前記挿入空間に対する前記相手ハウジングの少なくとも一部の挿入方向において前記電源端子の露出部よりも前記挿入口に近い側のいずれかの位置に配置され、且つ、規格化された試験指が前記挿入口を通じて前記挿入空間に挿入されようとしたときに少なくとも前記試験指が前記電源端子の露出部に触れないように突出した規制突部と、前記挿入空間に設けられ、前記相手ハウジングの少なくとも一部が前記挿入口を通じて前記挿入空間に挿入されたときに前記相手ハウジングに設けた係止部が係止され得る対応係止部と、を備えることを特徴として有する。尚、接触部は平板状であってもよい。
この態様の電源コネクタによれば、ハウジングの内部に設けた挿入空間に対応係止部を設けることとしているため、挿入空間に挿入された相手ハウジングの少なくとも一部との係止を、ハウジングの外部ではなく内部で行うことができ、従って、コネクタやコネクタ装置を大型化することなく、フィンガープロテクト機能を有する電源コネクタに係止機能を付加することができる。
【０００９】
上記態様の電源コネクタにおいて、前記電源端子は相隣り合って複数設けられており、前記電源端子の各々が配置された挿入空間が隔壁によって互いに仕切られているのが好ましい。
この態様の電源コネクタによれば、大電流が流れるおそれがある電源端子同士を壁によって仕切ることにより、沿面距離を大きくすることができる。
【００１０】
また、上記態様の電源コネクタにおいて、前記規制突部は、前記挿入方向と直交する断面において対向配置された一対の規制突部を含むのが好ましい。
この態様の電源コネクタによれば、一対の規制突部を断面において対向配置することにより、試験指が規制突部と衝突する可能性が増し、フィンガープロテクト機能を向上させることができる。
【００１１】
更に、上記態様の電源コネクタにおいて、前記挿入空間は、前記相手ハウジングの少なくとも一部が前記挿入口を通じて前記挿入空間に挿入されたときに、前記少なくとも一部のうちの、前記係止部を設けた係止部分が主として挿入される、前記挿入空間における第一の区画部と、前記相手ハウジングの少なくとも一部が前記挿入口を通じて前記挿入空間に挿入されたときに、前記少なくとも一部のうちの、前記係止部分以外の部分が主として挿入される、前記挿入空間における第二の区画部と、を含む、のが好ましい。
【００１２】
また、上記態様の電源コネクタにおいて、前記断面は、前記挿入方向と直交する断面において、第一の方向と、該第一の方向と直交する第二の方向とを有し、前記一対の規制突部は、それぞれ、互いに接近するように前記挿入空間の内部に向かって少なくとも前記第一の方向に沿って突出しており、且つ、前記一対の規制突部は、前記第二の方向において重なりを有する、のが好ましい。
この態様の電源コネクタによれば、対向配置された一対の規制突部に重なりを設けることにより、試験指等の挿入を効果的に防止して、フィンガープロテクト機能をより向上させることができる。
【００１３】
更に、上記態様の電源コネクタにおいて、前記電源端子は、実質的に前記第二の方向に延在し、前記第二の方向において、少なくとも前記一対の規制突部のいずれか一方と重なりを有するのが好ましい。
この態様の電源コネクタによれば、一対の規制突部と電源端子との間に重なり部分を設けることにより、フィンガープロテクト機能をより向上させることができる。
【００１４】
更にまた、上記態様の電源コネクタにおいて、前記第一の区画部と前記第二の区画部は、前記第一の方向に沿って相隣り合って配置され、且つ、前記第二の方向において重なりを有する、のが好ましい。
【００１５】
また、上記態様の電源コネクタにおいて、前記第一の区画部は、少なくとも前記第二の方向において、前記第二の区画部より小さく設定されているのが好ましい。
【発明の効果】
【００１６】
本発明によれば、コネクタやコネクタ装置を大型化することなく、フィンガープロテクト機能を有する電源コネクタに係止機能を付加することができる。
【図面の簡単な説明】
【００１７】
【図１】本発明の一実施形態による電源コネクタ装置の斜視図である。
【図２】本発明の一実施形態による電源コネクタ装置の平面図である。
【図３】図２のＡ−Ａ線断面図である。
【図４】基板コネクタの斜視図である。
【図５】基板コネクタの正面図である。
【図６】図５のＢ−Ｂ線断面図である。
【図７】本発明の変形例を示す図である。
【発明を実施するための形態】
【００１８】
以下、添付図面を参照しつつ、本発明による一つの好適な実施形態について説明する。説明の便宜上、好適な実施形態のみを示すが、勿論、これによって本発明を限定しようとするものではない。
【００１９】
図１は、本発明の一実施形態による電源コネクタ装置１の斜視図、図２は、その平面図、図３は、図２のＡ−Ａ線断面図である。
【００２０】
電源コネクタ装置１は、例えば、ケーブル２が固定されるケーブルコネクタ３０と、基板４に固定される基板コネクタ６０の組から成っていてもよい。これらケーブルコネクタ３０と基板コネクタ６０は、図示矢印「α」方向に互いに突き合わせることによって嵌合させることができる。図１乃至図３は、ケーブルコネクタ３０と基板コネクタ６０を嵌合させる前の状態を示したものである。
【００２１】
ケーブルコネクタ３０は、ケーブル２の一端に固定されたハウジング３１と、ハウジング３１に固定された電源端子４０を備える。電源端子４０は、ケーブル２の所定部分と電気的に接続されている。
【００２２】
ハウジング３１は、幅方向（図示矢印「γ」）に長さを有する略直方形状の本体３２を含む。本体３２の一の側面には、ケーブル２が固定される。ケーブル２を固定した側とは反対側の側面からは、複数の被挿入部３３が挿入（嵌合）方向「α」に沿って延びている。被挿入部３３はそれぞれ、略矩形筒形状を有しており、ここでは、幅方向「γ」において互いに離間された、計３個の被挿入部３３ａ乃至３３ｃが設けられている。これらの被挿入部３３ａ乃至ｃの少なくとも一部は、ケーブルコネクタ３０と基板コネクタ６０の嵌合時に、基板コネクタ６０に挿入される。
【００２３】
被挿入部３３ａ乃至ｃそれぞれの一の側面に、ガイド溝３８が設けられている。ケーブルコネクタ３０と基板コネクタ６０を嵌合させる際、ガイド溝３８を基板コネクタ６０の対応部分と噛み合わせることにより、ケーブルコネクタ３０と基板コネクタ６０向きを容易に揃えることができる。
【００２４】
被挿入部３３ａ乃至３３ｃのうちの少なくとも１つ、ここでは２つの被挿入部３３ａ、３３ｂの各側面に、被挿入部３３ａ、３３ｂの一部として係止部分３６ａ、３６ｂが設けられている。これら係止部分３６ａ、３６ｂは、ケーブルコネクタ３０との嵌合側（前側）からその反対側（後側）に向かって、挿入方向「α」に沿って片持ち梁状に形成されており、挿入方向「α」及びハウジング３１の幅方向「γ」の双方に直交する高さ方向「β」において、被挿入部の本体側から離れる方向に常時付勢されている。
【００２５】
各係止部分３６ａ、３６ｂの外壁、例えば、挿入方向「α」における後側中間位置に、基板コネクタ６０の一部が係止される係止爪（係止部）３６ｃが設けられている。ケーブルコネクタ３０と基板コネクタ６０の嵌合時に、係止部分３６ａ、３６ｂは、少なくとも係止爪３６ｃの位置まで、基板コネクタ６０に挿入される。この際、係止部分３６ａ、３６ｂの高さ方向「β」における弾性を利用して、係止爪３６ｃが、基板コネクタ６０の対応部分（図３の凹部６９）に係止され得る。係止爪３６ｃは、係止部分３７の自由端側に設けた操作部３７を通じて、ハウジング３１の本体３２側に向かって押し下げられる。操作部３７を通じて、係止爪３６ｃと基板コネクタ６０の対応部分との係止状態を容易に解除することが可能である。操作を容易にするため、操作部３７は、被挿入部３３ａ、３３ｂ双方の係止爪３６ｃに作用を及ぼすよう、共通の操作部として形成されているのが好ましい。操作部３７は、破壊されやすいため、本体３２から上方に立設させた保護壁３４によって、その左右の側面側を挟み込むように保護してもよい。
【００２６】
被挿入部３３ａ乃至ｃそれぞれの前面に、ケーブルコネクタ３０と基板コネクタ６０を嵌合させる際に、基板コネクタ６０に設けた電源端子（図３の７０）が挿入される端子挿入孔３９ａが設けられている。更に、その上部には、幅方向「γ」においてガイド溝３８と相隣り合って、被挿入部３３ａ乃至ｃに電源端子４０を固定するためのランス孔３９ｂが設けられている。
【００２７】
電源端子４０は、一枚の金属板を打ち抜き、折り曲げ加工することにより、略矩形の筒状とされている。図３に示すように、電源端子４０の上板の一部を折り曲げることにより、接触片４１が片持ち梁状に形成されている。接触片４１の先端側には、板厚方向に「く」の字に折り曲げることによって、電源端子との接点４１ａが設けられている。また、上板の一部に穴４２を設けることにより、ハウジング３１のランス３５の一部が引っ掛かるように形成されている。
【００２８】
基板コネクタ６０は、ハウジング６１と、ハウジング６１に固定された端子７０を備える。ハウジング６１は、基板４の一の面４ａに載置され、また、ハウジング６１に設けた突起（図示されていない）を基板４に設けた穴（図示されていない）に挿入することによって基板４の所定位置に位置決めされる。
【００２９】
ハウジング６１は、略直方形状の本体６２と、その一の側面に設けた段部６３を有する。ハウジング６１の内部には、ケーブルコネクタ３０の被挿入部３３ａ乃至ｃの少なくとも一部がそれぞれ挿入される挿入空間６５ａ乃至ｃが、該挿入空間６５ａ乃至ｃそれぞれの各挿入口６４と連通した状態で設けられている。挿入空間６５ａ乃至ｃは、ハウジング６１の幅方向「γ」に沿って一列に配列されており、相隣り合う挿入空間６５ａ乃至ｃは、隔壁７３によって互いに仕切られている。被挿入部３３ａ乃至ｃはそれぞれ、各挿入口６４を通じて、挿入空間６５ａ乃至ｃにそれぞれ挿入方向「α」に沿って挿抜され得る。
【００３０】
被挿入部３３ａ、３３ｂの係止部分３６ａ、３６ｂにそれぞれ設けた係止爪３６ｃに対応して、例えば、挿入口６４の内縁に、それぞれ、対応係止部である凹部６９（図３参照）が設けられている。被挿入部３３ａ、３３ｂが挿入口６４を通じて挿入空間６５ａ、６５ｂに挿入されたとき、被挿入部３３ａ、３３ｂに設けた係止片３６ｃが、それぞれ、凹部６９に弾性係止され得る。尚、対応係止部６９は、必ずしも挿入口６４に設ける必要はなく、挿入空間６５に設けられていればよい。更に言えば、ハウジング６１の外部に設けられていなければよい。このように、ハウジングの内部に設けた挿入空間に対応係止部を設けることにより、挿入空間に挿入された相手ハウジングの少なくとも一部との係止を、ハウジングの外部ではなく内部で行うことができ、従って、コネクタやコネクタ装置を大型化することなく、電源コネクタに係止機能を付加することができる。
【００３１】
係止部分３６ａ、３６ｂを受け入れるため、挿入空間６５ａ、６５ｂは、被挿入部３３ａ、３３ｂそれぞれの、主として係止部分３６ａ、３６ｂが挿入される第一の区画部６８ａと、係止部分３６以外の部分が主として挿入される第二の区画部６８ｂとを含む。第一の区画部６８ａは、主として段部６３によって形成されており、一方、第二の区画部６８ｂは、主として本体６２によって形成されている。尚、被挿入部３３ｃには、係止部分が設けられていないため、該被挿入部３３ｃが挿入される挿入空間６５ｃは、第二の区画部６８ｂのみを含む。
【００３２】
第一の区画部６８ａと第二の区画部６８ｂはそれぞれ、挿入方向「α」と直交する断面「β−γ」において、略矩形状を有しており、該断面において、高さ方向「β」と幅方向「γ」とを有する。第一の区画部６８ａと第二の区画部６８ｂは、高さ方向「β」に沿って相隣り合って配置されており、且つ、幅方向「γ」において重なりを有する。
【００３３】
ハウジング６１の各挿入空間６５ａ乃至６５ｃに電源端子７０が設けられている。電源端子７０は、ハウジング３１の突壁６７によって支持された平板状の支持部７２と、突壁６７の前側に位置する露出部７１と、突壁６７の後側に位置する実装部７３を含む。露出部７１は、挿入口６４の側に向けて突出させた状態で配置され、各挿入空間６５ａ乃至６５ｃにおいて露出させた状態で設けられている。露出部７１の少なくとも一部は、ケーブルコネクタ３０と基板コネクタ６０を嵌合させたときにケーブルコネクタ３０の電源端子４０と接触する接触部として機能する。実装部７３は、基板４（図１参照）に実装される部分であって、基板４に対して半田付けされてもよい。
【００３４】
電源端子７０は、例えば、その全体が平板状の、即ち、挿入方向「α」及び幅方向「γ」に拡がりを有する端子であってもよいが、露出部７１に含まれる接触部だけが平板状であってもよい。電源端子７０は、隔壁７３によって互いに仕切られた状態で、幅方向「γ」に沿って相隣り合って複数配置されている。このように、大電流が流れるおそれがある電源端子同士を、隔壁７３によって仕切ることにより、沿面距離を大きくすることができる。
【００３５】
被挿入部３３が挿入口６４を通じて挿入空間６５に挿入される際、被挿入部３３ａ乃至ｃのガイド溝３８と、挿入空間６５に設けた上側の突部６６Ａａ、６６Ｂａとを噛み合わせることにより、ケーブルコネクタ３０と基板コネクタ６０向きを容易に揃えることができる。被挿入部３３が挿入空間６５に挿入されたとき、各電源端子７０は、接触片４１による弾性作用を利用して、被挿入部３３に設けた電源端子４０の接点４１ａに弾性接触し得る。この結果、ケーブルコネクタ３０の電源端子４０と、基板コネクタ６０の電源端子７０とは電気的に接続され得る。
【００３６】
図４乃至図６をも参照して、フィンガープロテクト機能について説明する。図４は、基板コネクタ６０の斜視図、図５は、その正面図、図６は、図５のＢ−Ｂ線断面図である。
【００３７】
フィンガープロテクト機能は、規格化された試験指によって評価される。規格として、例えば、ＵＬ、ＴＵＶがある。図４は、基板コネクタ６０を示すとともに試験態様の一例を示している。尚、図示の例は、挿入空間６５ｂに対する試験方法を示したものであるが、挿入空間６５ａ、６５ｃに対しても、同様の方法で試験される。試験時には、指に見立てた試験指５を、挿入空間６５に所定の力で挿入しようと試みたときに、この試験指５が、挿入空間６５の内部に設けた電源端子７０の露出部７１と電気的に接触するか否かによって評価する。接触しなければ、機能は十分と評価され、接触してしまった場合には、不十分と評価される。
【００３８】
フィンガープロテクト機能を付与するため、挿入空間６５の第二の区画部６８ｂに、複数の規制突部６６（６６Ａａ、６６Ａｂ、６６Ｂａ、６６Ｂｂ）を設けている。これらの規制突部６６は各々、挿入空間６５の内部に向かって突出している。また、これらの規制突部６６は、挿入空間６５に対する被挿入部３３の挿入方向「α」において、電源端子７０の露出部７１よりも挿入口６４に近い側のいずれかの位置に配置されている。尚、本実施形態では、挿入口６４に規制突部を設けているが、必ずしも挿入口６４に設ける必要はなく、フィンガープロテクト機能を十分に発揮し得るのであれば、挿入口６４以外の挿入空間６５のいずれか位置に設ければ十分である。また、本実施形態では、第一の区画部６８ａよりも大きな断面を有する第二の区画部６８ｂに、規制突部６６を設けているが、必ずしも第二の区画部６８ｂに設ける必要はなく、フィンガープロテクト機能を十分に発揮し得るのであれば、第一の区画部６８ａに設けてもよいし、更に、第一の区画部６８ａと第二の各部６８ｂの双方に設けてもよい。更に、同様の機能を発揮するものであれば、規制突部以外の部材、例えば、挿入方向「α」に沿って挿入口６４に向かって突出する棒状部材を設けてもよい。
【００３９】
図５乃至図６を参照して、規制突部６６及び挿入空間６５について更に詳細に説明する。既に説明したことから明らかなように、挿入空間６５には２つのタイプが存在する。即ち、挿入空間６５ａ、６５ｂのように、係止部分３６を受け入れるために、第一の区画部６８ａと第二の区画部６８ｂの双方を含むタイプ６５Ａと、挿入空間６５ｃのように、係止部分３６を受け入れないため、第一の区画部６８ａを含まず、第二の区画部６８ｂのみを含むタイプ６５Ｂである。以下、必要に応じて、前者のタイプに関連する部材には、「Ａ」の文字を付し、後者のタイプに関連する部材には、「Ｂ」の文字を付して区別する。
【００４０】
挿入空間６５Ａ（６５ａ、６５ｂ）の規制突部には、挿入方向「α」と直交する断面「β−γ」において対向配置された一対の規制突部６６Ａａ、６６Ａｂ、及び、一対の規制突部６６Ｂａ、６６Ｂｂが含まれる。これら一対の規制突部は、それぞれ、互いに接近するように、規制突部６６Ａａについては、高さ方向「β」において、第一の区画部６８Ａａを形成する上側内壁７２Ａａ’ではなく、第二の区画部６８Ａｂを形成する上側内壁７２Ａａから挿入空間６５Ａの内部に向かって突出し、また、規制突部６６Ｂａについては、高さ方向「β」において、第二の区画部６８Ａｂを形成する上側内壁７２Ｂａから挿入空間６５Ａの内部に向かって突出し、一方、規制突部６６Ａｂ、６６Ｂａについては、高さ方向「β」において、第二の区画部６８Ａｂを形成する底側内壁７２Ａｂ、７２Ｂｂから挿入空間６５Ａの内部に向かって突出している。このように、一対の規制突部を断面「β−γ」において対向配置することにより、試験指５が規制突部６６Ａａ、６６Ａｂと衝突する可能性が増し、フィンガープロテクト機能を向上させることができる。
【００４１】
一対の規制突部はそれぞれ、幅方向「γ」において重なりを有するのが好ましい。本実施形態では、規制突部６６Ａａと規制突部６６Ａｂ、及び、規制突部６６Ｂａと規制突部６６Ｂｂは、それぞれ、幅方向「γ」において、互いに重なりを有する。このような重なりを設けることにより、試験指等の挿入が効果的に防止され、フィンガープロテクト機能をより向上させることができる。
【００４２】
また、本実施形態のように、電源端子７０が、幅方向「γ」に延在している場合、当該幅方向「γ」において、電源端子７０は、一対の規制突部のいずれか一方と重なりを有するのが好ましい。本実施形態では、例えば、電源端子７０は、幅方向「γ」において、規制突部６６Ａａとの間に、重なり「ｔ１」を有し、また、規制突部６６Ａｂとの間に、重なり「ｔ２」を有する。このような重なり部分を設けることにより、フィンガープロテクト機能をより向上させることができる。また、フィンガープロテクト機能をより向上させるため、第一の区画部６８ａは、幅方向「γ」において、第二の区画部６８ｂよりも小さく設定されているのが好ましい。尚、電源端子７０は、挿入空間６５を形成する左右各側の内壁７２Ａｃ及び７２Ａｄ、又は、７２Ｂｃ及び７２Ｂｄから延びる一対の突壁６７ａ、６７ｂによって支持することができる。これらの一対の突壁６７ａ、６７ｂは、規制突部６６と交差する方向に延びていることから、電源端子７０を支持する働きだけでなく、挿入空間６５の強度を高める機能をも有する。
【００４３】
図７に、変形例を示す。図１等に示した実施形態は、ケーブル２に接続されたケーブルコネクタ３０と、基板に固定された基板コネクタ９０と、の組み合わせを示しているが、勿論、使用態様はこれに限定されるものではない。図７に示すように、例えば、ケーブルコネクタ９０をパネル７に固定してもよい。パネル７には、ケーブルコネクタ９０の先端側の一部を貫通させる穴７ａが設けられており、穴７ａの左右側部にそれぞれ、パネル７を筐体等に固定するための螺子を貫通させる螺子穴６が設けられている。
【００４４】
以上の説明は、好ましい実施形態に関するものであり、物品及びそれを製造する方法を単に代表するものであることを理解すべきである。異なる実施形態の変形及び修正が上述の教示に照らして当業者に容易に明らかになることを認めることができる。従って、例示的実施形態並びに代替的な実施形態は、添付の特許請求の範囲で説明する物品及び方法の精神から逸脱することなく行うことができる。
【符号の説明】
【００４５】
１  電源コネクタ装置
２  ケーブル
４  基板
５  試験指
３０  ケーブルコネクタ
３１  ハウジング
３３ａ乃至ｃ  被挿入部
３６ａ、３６ｂ  係止部分
３６ｃ  係止爪（係止部）
４０  電源端子
６０  パネルコネクタ
６１  ハウジング
６５  挿入空間（６５Ａ  ６５Ｂ）
６６  規制突部（６６Ａ  ６６Ｂ）
６８ａ  第一の区画部
６８ｂ  第二の区画部
７０  電源端子
【図１】
2019110086.tif 000003
【図２】
2019110086.tif 000004
【図３】
2019110086.tif 000005
【図４】
2019110086.tif 000006
【図５】
2019110086.tif 000007
【図６】
2019110086.tif 000008
【図７】
2019110086.tif 000009